(57)【要約】【課題】本発明は、扉体の着脱を簡単にし、小さな部品の紛失しないキャビネットの蝶番構造を提供することを目的としている。【解決手段】本発明に係るキャビネットの蝶番構造は、本体には本体側蝶番を、扉体には扉体側蝶番を設け、本体側蝶番にはピンが形成され、扉体側蝶番にはねじ穴を設け、本体側蝶番のピンを挿通すると共に蝶番押さえがねじにより取り付けられ、ねじを締め付けることにより、蝶番押さえが本体側蝶番のピンに添いながら、扉体は回動動作により開閉可能とすることを特徴とする。【選択図】図２
2007032182.tif 000002
【特許請求の範囲】
【請求項１】
前面に開口を有する本体と前記開口を施蓋する扉体とから構成されるキャビネットの蝶番構造において、前記本体には本体側蝶番を、前記扉体には扉体側蝶番を設け、前記本体側蝶番にはピンが形成され、前記扉体側蝶番にはねじ穴を設け、前記本体側蝶番のピンを挿通すると共に蝶番押さえがねじにより取り付けられ、該ねじを締め付けることにより、前記蝶番押さえが前記本体側蝶番のピンに添いながら、前記扉体は回動動作により開閉可能であることを特徴とするキャビネットの蝶番構造。
【請求項２】
前記キャビネットの蝶番構造において、前記本体の開口周縁には雨水等の浸入を防止するために水切りを折り返し形成し、該水切りに前記蝶番押さえを取り付けた扉体蝶番を係合可能とし、前記扉体は着脱により開閉可能であることを特徴とする請求項１に記載のキャビネットの蝶番構造。
【発明の詳細な説明】
【技術分野】
【０００１】
本発明は、前面に開口を有する本体と開口を施蓋する扉体とから構成されるキャビネットの蝶番構造に関するものである。
【背景技術】
【０００２】
本体に扉体を蝶着して構成されるキャビネットの蝶番構造は、図５に示すように、本体３１には筒状の本体側蝶番３２ａを、扉体３３には筒状の扉体側蝶番３２ｂを設けていた。本体側蝶番３２ａと扉体側蝶番３２ｂを組み合わせそれぞれに蝶番ピン３４を挿通して扉体３３を本体３１に取り付けていた。蝶番ピン３４には切り溝３５が形成され、抜け止め部材３６を切り溝３５に装着することにより、蝶番ピン３４が蝶番３２から抜け出ないようにしていた。
【特許文献１】特開２００４−１７９５２０号公報
【発明の開示】
【発明が解決しようとする課題】
【０００３】
キャビネット内に収納した機器の取り付け作業や保守作業の際に、扉体を外すことがある。このとき、蝶番ピンに装着した抜け止め部材を取り外す必要があるが、そのためには特別な工具が必要であった。また、扉体を外したときに抜いた蝶番ピンを紛失する虞があった。蝶番の取り付け方向によっては、蝶番ピンの抜き差しが困難な場合があった。
【課題を解決するための手段】
【０００４】
そこで本発明は、扉体の着脱を簡単にし、小さな部品の紛失しないキャビネットの蝶番構造を提供することを目的とし、その構造は、本体には本体側蝶番を、扉体には扉体側蝶番を設け、本体側蝶番にはピンが形成され、扉体側蝶番にはねじ穴を設け、本体側蝶番のピンを挿通すると共に蝶番押さえがねじにより取り付けられ、ねじを締め付けることにより、蝶番押さえが本体側蝶番のピンに添いながら、扉体は回動動作により開閉可能とすることを特徴とする。
【０００５】
また、本体の開口周縁には雨水等の浸入を防止するために水切りを折り返し形成し、水切りに蝶番押さえを取り付けた扉体蝶番を係合可能とし、扉体は着脱により開閉可能であることを特徴とする。
【発明の効果】
【０００６】
以上述べたように、本発明に係るキャビネットの蝶番構造は、本体には本体側蝶番を、扉体には扉体側蝶番を設け、本体側蝶番にはピンが形成され、扉体側蝶番にはねじ穴を設け、本体側蝶番のピンを挿通すると共に蝶番押さえがねじにより取り付けられ、ねじを締め付けることにより、蝶番押さえが本体側蝶番のピンに添いながら、扉体は回動動作により開閉可能とするため、施工時に扉体を外すときに、蝶番ピンのような小部品がないため、部品の紛失が防止できる。また、扉体の取り外しはドライバーのみで行え、作業が簡単である。
【０００７】
また、本体の開口周縁には雨水等の浸入を防止するために水切りを折り返し形成し、水切りに蝶番押さえを取り付けた扉体蝶番を係合可能とし、扉体は着脱により開閉可能であるため、施工時に扉体を外すときに、蝶番ピンのような小部品がないため、部品の紛失が防止できる。また、扉体の取り外しはドライバーのみで行え、作業が簡単である。また、キャビネットの前面に余裕のスペースがないところに設置される場合、扉が回動動作により開閉できなくても、本体の開口を施蓋することができる。また、作業中、一旦作業を中止するような場合にも、仮に扉体で開口を施蓋することが可能であり、いちいち、扉体の取り外し、取り付け作業を行う必要がなくなる。
【発明を実施するための最良の形態】
【０００８】
小さな部品を用いずに部品の紛失の虞を低減すると共に、扉体の着脱を容易にするという目的を、最小の部品点数で、組み立て作業の効率のよさを損なわずに実現した。
【実施例１】
【０００９】
本発明に係るキャビネットの蝶番構造の実施例１を図１〜図３の添付図面に基づいて説明する。
【００１０】
キャビネット１は前面に開口２を有する本体３と、開口２を施蓋する扉体４とから構成され、扉体４は本体３に蝶番５により取り付けられる。本体３には本体側蝶番５ａを、扉体４には扉体側蝶番５ｂを設ける。本体側蝶番５ａにはピン６を形成し、扉体側蝶番５ｂと組み合わせる。扉体側蝶番５ｂにはねじ穴７が設けられ、また、このねじ穴７に対向する位置に挿通穴８を有する蝶番押さえ９を扉側蝶番５ｂにねじ締めにより取り付ける。扉側蝶番５ｂは断面略コ字状に折曲形成されており、内側に本体側蝶番５ａを組み付ける。
【００１１】
蝶番押さえ９は、扉体側蝶番５ｂに一端に係合可能である係合部１０が設けられると共に、この係合部１０の端部には本体側蝶番５ａに当接する押さえ部１１を形成する。蝶番押さえ９を扉体側蝶番５ｂに取り付けるねじ１２は、根元の部分にはねじ溝を形成しない。扉体側蝶番５ｂと蝶番押さえ９のどちらかはねじ溝のない部分があたるようにして、ねじ１２は蝶番押さえ９から外れにくく、また、ピン６を保持する場合にもねじ１２と蝶番押さえ９が噛まない構造とする。
【００１２】
ねじ１２を扉体側蝶番５ｂと蝶番押さえ９にねじ１２を挿通し締め付けることで、蝶番押さえ９が扉体側蝶番５ｂの一端に深く係合し、押さえ部１１が本体側蝶番５ａのピン６を保持し、回動動作可能で扉体４が開閉する。また、ねじ１２を緩めると、蝶番押さえ９も持ち上がり、蝶番押さえ９の押さえ部１１が扉体側蝶番５ｂの内側に接触したときに、ねじ１２のねじ溝のない部分が蝶番押さえ９にあたり、ねじ１２は回らなくなる。
【００１３】
扉体４にはハンドルが設けられ、ハンドルの動作に連動する係止片が取り付けられる。ハンドルを回転させることにより、係止片が回転し本体３に係止したり解除したりして、扉体４を本体３に係止させ開口２を施蓋する。
【実施例２】
【００１４】
本発明に係るキャビネットの蝶番構造の実施例２を図１〜図４の添付図面に基づいて説明する。
【００１５】
キャビネット１の縦寸法と横寸法が同じ場合には、扉体４を固定式のカバーとして用いることができる。
【００１６】
キャビネット１は前面に開口２を有する本体３と、開口２を施蓋する扉体４とから構成され、扉体４は本体３に蝶番５により取り付けられる。本体３には本体側蝶番５ａを、扉体４には扉体側蝶番５ｂを設ける。本体側蝶番５ａにはピン６を形成し、扉体側蝶番５ｂと組み合わせる。扉体側蝶番５ｂにはねじ穴７が設けられ、また、このねじ穴７に対向する位置に挿通穴８を有する蝶番押さえ９を扉側蝶番５ｂにねじ締めにより取り付ける。扉側蝶番５ｂは断面略コ字状に折曲形成されており、内側に本体側蝶番５ａを組み付ける。
【００１７】
蝶番押さえ９は、扉体側蝶番５ｂに一端に係合可能である係合部１０が設けられると共に、この係合部１０の端部には本体側蝶番５ａに当接する押さえ部１１を形成する。蝶番押さえ９を扉体側蝶番５ｂに取り付けるねじ１２は、根元の部分にはねじ溝を形成しない。扉体側蝶番５ｂと蝶番押さえ９のどちらかはねじ溝のない部分があたるようにして、ねじ１２は蝶番押さえ９から外れにくく、また、ピン６を保持する場合にもねじ１２と蝶番押さえ９が噛まない構造とする。
【００１８】
キャビネット１の本体３の開口２周縁は、雨水等の浸入を防ぐため水切り１３を折り返し形成している。水切り１３の一部には切り欠き１４を形成し、上部の切り欠き１４に扉体側蝶番５ｂを引っ掛ける。
【００１９】
扉体４に設けられたハンドルを動作させて、係止片を開口２の下方端部に係止させ、扉体４をカバーとして用いて開口２を施蓋する。
【産業上の利用可能性】
【００２０】
扉体側蝶番と本体側蝶番との接続を、ピンのような小さな部品を用いず蝶番押さえをねじ止めすることにより行うため、部品の紛失の虞を低減でき、扉体の取り付け、取り外し作業もドライバーだけで容易にでき、未熟練者でも作業することができる。
【図面の簡単な説明】
【００２１】
【図１】本発明に係るキャビネットの本体正面図である。（実施例１）
【図２】本発明に係るキャビネットの蝶番部分の説明図である。（実施例１）
【図３】本発明に係るキャビネットの動作を示す説明図である。（実施例１）
【図４】本発明に係るキャビネットの蝶番部分の説明図である。（実施例２）
【図５】本発明に係るキャビネットの蝶番部分の説明図である。（実施例２）
【符号の説明】
【００２２】
１    キャビネット
２    開口
３    本体
４    扉体
５    蝶番
５ａ  本体側蝶番
５ｂ  扉体側蝶番
６    ピン
７    ねじ穴
８    挿通穴
９    蝶番押さえ
１０  係合部
１１  押さえ部
１２  ねじ
１３  水切り
１４  切り欠き
【図１】
2007032182.tif 000003
【図２】
2007032182.tif 000004
【図３】
2007032182.tif 000005
【図４】
2007032182.tif 000006
【図５】
2007032182.tif 000007